(57)【要約】【課題】  原稿カバーの開き角度を容易に変更することができる画像読取装置を提供する。【解決手段】  原稿を載置可能な原稿台が設けられた読取本体部と、前記原稿台に対して原稿を押圧するための原稿カバーと、前記読取本体部と前記原稿カバーを接続し、前記読取本体部に対して第１位置と第２位置とに移動可能なヒンジ機構と、を備える画像読取装置であって、前記読取本体部は前記原稿カバーと当接可能な第１当接部が設けられ、前記ヒンジ機構が前記第１位置にあるときは、前記原稿カバーと前記第１当接部が当接することで前記読取本体部に対する前記原稿カバーの開き角度が第１角度に規制され、前記ヒンジ機構が前記第２位置にあるときは、前記ヒンジ機構によって前記開き角度が前記第１角度より大きい第２角度に規制される。【選択図】  図１０
2019153836.tif 000002
【特許請求の範囲】
【請求項１】
原稿を載置可能な原稿台が設けられた読取本体部と、
前記原稿台に対して原稿を押圧するための原稿カバーと、
前記読取本体部と前記原稿カバーを接続し、前記読取本体部に対して第１位置と第２位置とに移動可能なヒンジ機構と、を備える画像読取装置であって、
前記読取本体部は前記原稿カバーと当接可能な第１当接部が設けられ、
前記ヒンジ機構が前記第１位置にあるときは、前記原稿カバーと前記第１当接部が当接することで前記読取本体部に対する前記原稿カバーの開き角度が第１角度に規制され、
前記ヒンジ機構が前記第２位置にあるときは、前記ヒンジ機構によって前記開き角度が前記第１角度より大きい第２角度に規制されることを特徴とする画像読取装置。
【請求項２】
前記開き角度が前記第２角度に規制されているとき、前記原稿カバーと前記第１当接部は当接しないことを特徴とする請求項１に記載の画像読取装置。
【請求項３】
前記ヒンジ機構が前記第２位置にあるとき、前記原稿カバーは前記第１位置にあるときよりも前記読取本体部との距離が大きいことを特徴とする請求項１または２に記載の画像読取装置。
【請求項４】
前記第１当接部は前記ヒンジ機構の外側に設けられることを特徴とする請求項１から３のいずれか１項に記載の画像読取装置。
【請求項５】
前記第１当接部は、前記原稿台を形成する面に対して形成された凹部と接続され前記原稿台を形成する面に対して交差する当接面を有し、前記原稿カバーには突起形状のストッパ部が配され、前記ストッパ部と前記当接面とが当接することで前記開き角度が前記第１角度に規制されることを特徴とする請求項１から４のいずれか１項に記載の画像読取装置。
【請求項６】
前記ヒンジ機構は、上下移動可能なヒンジケースと、前記ヒンジケースに対して回動可能に軸支されたヒンジカムと、を有し、前記ヒンジケースと前記ヒンジカムとが当接することで前記開き角度が前記第２角度に規制されることを特徴とする請求項１から５のいずれか１項に記載の画像読取装置。
【請求項７】
前記原稿カバーは、自動原稿搬送装置と一体で形成されることを特徴とする請求項１から６のいずれか１項に記載の画像読取装置。
【請求項８】
前記自動原稿搬送装置は、載置された原稿を第１方向に搬送しながら読み取る読取手段と、装置の前面側に設けられ前記読取手段の前記第１方向に対する角度を調整する調整機構と、装置の背面側に設けられ前記読取手段と接続される電気部品と、を有することを特徴とする請求項７に記載の画像読取装置。
【請求項９】
前記調整機構は、前記読取手段における装置の背面側を中心として前記読取手段を回動可能に構成されていることを特徴とする請求項８に記載の画像読取装置。
【請求項１０】
原稿を載置可能な原稿台が設けられた読取本体部と、
前記原稿台に対して原稿を押圧するための原稿カバーと、
前記読取本体部と前記原稿カバーを接続し、前記読取本体部に対して第１位置と第２位置とに移動可能なヒンジ機構と、を備える画像読取装置であって、
前記読取本体部は、前記原稿カバーの第１ストッパ部と当接可能な第１当接部と、前記原稿カバーの第２ストッパ部と当接可能な第２当接部と、が設けられ、
前記ヒンジ機構が前記第１位置にあるときは、前記第１ストッパ部と前記第１当接部が当接することで前記読取本体部に対する前記原稿カバーの開き角度が第１角度に規制され、
前記ヒンジ機構が前記第２位置にあるときは、前記第２ストッパ部と前記第２当接部が当接することで前記開き角度が前記第１角度より大きい第２角度に規制されることを特徴とする画像読取装置。
【請求項１１】
記録媒体に画像を記録する記録手段と、請求項１から１０のいずれか１項に記載の画像読取装置と、を備えることを特徴とする記録装置。
【発明の詳細な説明】
【技術分野】
【０００１】
本発明は、画像読取装置および記録装置に関する。
【背景技術】
【０００２】
特許文献１には、原稿搬送装置が画像形成装置に対して開く開き角度を２種類から選ぶことが可能な構成が開示されている。ユーザがヒンジの固定部材に取り付けるストッパの向きを変更することで、開き角度を第１の開き位置と第２の開き位置とに切替可能となっている。
【先行技術文献】
【特許文献】
【０００３】
【特許文献１】特開２００３−８７４６３号公報
【発明の概要】
【発明が解決しようとする課題】
【０００４】
しかしながら特許文献１の構成では、開き角度を固定するためのストッパが必要であり、さらに、開き角度を変更するためにユーザはストッパにビスを挿通してヒンジに対して締結する必要であった。
【０００５】
上記課題に鑑みて本発明は、原稿カバーの開き角度を容易に変更することができる画像読取装置を提供することを目的とする。
【課題を解決するための手段】
【０００６】
本発明は、上記目的を達成するため、原稿を載置可能な原稿台が設けられた読取本体部と、前記原稿台に対して原稿を押圧するための原稿カバーと、前記読取本体部と前記原稿カバーを接続し、前記読取本体部に対して第１位置と第２位置とに移動可能なヒンジ機構と、を備える画像読取装置であって、前記読取本体部は前記原稿カバーと当接可能な第１当接部が設けられ、前記ヒンジ機構が前記第１位置にあるときは、前記原稿カバーと前記第１当接部が当接することで前記読取本体部に対する前記原稿カバーの開き角度が第１角度に規制され、前記ヒンジ機構が前記第２位置にあるときは、前記ヒンジ機構によって前記開き角度が前記第１角度より大きい第２角度に規制されることを特徴とする。
【発明の効果】
【０００７】
本発明によれば、原稿カバーの開き角度を容易に変更することができる画像読取装置が提供される。
【図面の簡単な説明】
【０００８】
【図１】画像読取装置の外観を示す斜視図である。
【図２】画像読取装置の外観を示す斜視図である。
【図３】画像読取装置のＡＤＦの内部構造を示す断面図である。
【図４】画像読取装置のＡＤＦの駆動列を示す斜視図である。
【図５】画像読取装置の第２読取センサの調整機構を示す斜視図である。
【図６】画像読取装置のＡＤＦの内部構造を示す斜視図である。
【図７】画像読取装置の簡略化した外観斜視図である。
【図８】図２におけるＡ−Ａ線における画像読取装置の断面図である。
【図９】図７におけるＡ−Ａ線における画像読取装置の断面模式図である。
【図１０】図７におけるＢ−Ｂ線における画像読取装置の断面模式図である。
【図１１】画像読取装置を第１角度まで開いた状態の断面模式図である。
【図１２】画像読取装置を第２角度まで開いた状態の断面模式図である。
【発明を実施するための形態】
【０００９】
本発明は、自動原稿搬送装置としてのオートドキュメントフィーダ（以下、ＡＤＦ）を備え、イメージセンサ（読取手段）によって原稿を読み取る読取装置（原稿読取装置）に適用することができる。また、読取装置の他、読取機能とともに画像を記録する記録機能を備えた記録装置にも適用することができる。記録装置には、プリント機能（記録機能）の他、ＦＡＸ機能等その他の機能を併せ持った複合装置（複合機）が含まれるものとする。さらに本発明は、読取機能に代えて記録媒体に画像を記録する記録機能を備えた記録装置にも適用することができる。その場合、給送トレイには原稿ではなく画像を記録する対象である記録媒体を積載し、搬送経路中には読取手段に代えて記録部を設け、記録部によって搬送される記録媒体に画像を記録する。また、以下の実施形態に記載されている構成部品の寸法、材質、形状、それらの相対配置などは、本発明が適用される装置の構成や各種条件により適宜変更されるべきものであり、本発明の範囲をそれらのみに限定する趣旨のものではない。
【００１０】
図１及び図２は、画像読取装置５０の外観斜視図を示す。画像読取装置５０は、記録手段を備える記録装置等の上に配されていてもよい。画像読取装置５０は、原稿を載置可能な原稿台ガラス４を有する読取本体部１と、読取本体部１に対してヒンジ機構１０１により読取本体部１と接続され、開閉可能なＡＤＦ１００を備える。ヒンジ機構１０１は、図２に示すＸ方向において左右に配され、装置背面側（Ｙ方向下流側）に配され、右側を右側ヒンジ機構１０１Ｒ、左側を左側ヒンジ機構１０１Ｌとする。また画像読取装置５０には、ユーザがＡＤＦ１００を開閉する際に把持する把持部１１３が設けられている。さらに、左右のヒンジ機構１０１の外側には、後述する第１ストッパ部１０７が設けられている。図２は、ＡＤＦ１００が読取本体部１に対して開いた状態を示す。尚、共通の回動軸を構成するために、左側ヒンジ機構１０１Ｌのヒンジ軸と右側ヒンジ機構１０１Ｒのヒンジ軸は略同軸上に設けられている。
【００１１】
図３は、画像読取装置５０を前面側から見たときのＡＤＦ１００の内部構造を示す断面図である。ＡＤＦ１００は、原稿を搬送する搬送経路を有し、搬送経路は搬送される原稿がＵターンして反転するためのＵターンパスを有している。原稿トレイ２１５にセットされた原稿は、Ｘ方向の上流側に向けて搬送された後、Ｕ字状に反転されてＸ方向の下流側に向けて搬送され、原稿トレイ２１５の下方に配される排出トレイ２１６に排出される。
【００１２】
ＡＤＦ１００には、原稿トレイ２１５にセットされた原稿の有無を検知するための原稿検知センサ２１３と、原稿の先端を検知して読取のタイミングを決定するためのエッジセンサ２２５が備えられている。エッジセンサ２２５は、原稿の有無に応じて動作するエッジセンサレバー２１４によって、原稿の先端と後端の通過を検知することができる。
【００１３】
ＡＤＦ１００の給紙口近傍であってＵターンパスの上流側から順に、載置された原稿をピックアップするピックアップローラ２２４と、原稿を１枚ずつに分離する分離ローラ２１７と、原稿の傾きを補正するレジローラ２２３が設けられている。また、Ｕターンパスの中ほどには、第１搬送ローラ２１８と第２搬送ローラ２１９が設けられ、ＡＤＦ１００の排出口近傍であってＵターンパスの下流側には原稿を排出トレイ２１６に排出するための排出ローラ２２０が設けられている。これらのローラは、後述するモータＭ（図４参照）によって回転可能となっている。
【００１４】
以下に、ＡＤＦ１００による原稿の読取動作（シートスルー読取方式）の詳細を説明する。ユーザによって原稿が原稿トレイ２１５にセットされると、原稿が原稿検知センサ２１３によって検知される。その後、読取動作を開始する指令に従って、原稿はピックアップローラ２２４でピックアップされ、分離ローラ２１７で分離搬送されて、レジローラ２２３により傾きが補正される。反転された原稿は第１搬送ローラ２１８によって搬送されながら、エッジセンサ２２５で先端を検知されると、搬送ガイド部材２２１と読取本体部１に設けられるＡＤＦガラス５（図２参照）の間に送り込まれる。搬送ガイド部材２２１は、弾性機構によって原稿を読取本体部１に押圧することで読み取りの精度を向上させる。
【００１５】
エッジセンサ２２５によって原稿の先端を検知後、モータＭのステップカウントが所定数になるまで搬送されると、原稿の先端が第１読取センサ６に到達し、第１搬送ローラ２１８による搬送に合わせて原稿の第１面が読み取られる。ここで、第１面とは原稿が原稿トレイ２１５にセットされた状態における上面に対応する。なお、第１読取センサ６はＡＤＦガラス５の下に配されている。
【００１６】
搬送ガイド部材２２１より下流に搬送された原稿は、第１読取センサ６での読取開始後にモータＭのステップカウントが所定数になるまで第２読取センサ支持部２２２に沿って搬送されると、第２読取センサ２００によって第２面が読み取られる。ここで、第２面とは第１面の裏側の面であり、原稿が原稿トレイ２１５にセットされた状態における下面に対応する。
【００１７】
原稿の後端がエッジセンサ２２５によって検知されて、モータＭのステップカウントが所定数になるまで搬送されると、第１読取センサ６による読み取りを終了した後、第２読取センサ２００による読み取りを終了する。第２読取センサ２００を通過した原稿は、第２搬送ローラ２１９と排出ローラ２２０を通過して排出トレイ２１６に排出される。このように、モータＭのステップカウントによって、第１読取センサ６及び第２読取センサ２００と原稿の先端・後端の距離を取得して、各ローラによる原稿の搬送と読み取りのタイミングを合わせている。
【００１８】
図４は、画像読取装置５０の背面側から見たＡＤＦ１００の駆動列を示す斜視図である。モータＭからの駆動が中間ギア部Ｇやベルト駆動部Ｂを介して伝達されることによって、ピックアップローラ２２４、分離ローラ２１７、レジローラ２２３（図４では不図示）、第１搬送ローラ２１８、第２搬送ローラ２１９及び排出ローラ２２０を駆動する。
【００１９】
次に、図５と図６を用いて本実施形態の第２読取センサ２００の調整機構を説明する。図５は画像読取装置５０の前面側から見た第２読取センサ２００の調整機構を示す斜視図であり、図６はＡＤＦ１００の内部構造を示す斜視図である。画像読取装置５０は、ＡＤＦ１００によって搬送される原稿の搬送方向と、第１読取センサ６及び第２読取センサ２００との相対的な角度を調整可能な調整機構を有する。これにより、原稿の読み取りの際に、第１読取センサ６及び第２読取センサ２００が搬送される原稿に対して直交するように配置されるため、原稿が斜めに読み取られることが抑制される。
【００２０】
第１読取センサ６と原稿の搬送方向との角度調整は、作業者が読取本体部１に対するＡＤＦ１００の取付位置を変更することで行う。具体的には、図２に示す右側ヒンジ機構１０１ＲをＹ方向において移動することで、ＡＤＦ１００の位置調整が行われる。これにより、ＡＤＦ１００は読取本体部１に対して左側ヒンジ機構１０１Ｌを中心に回動可能となり、第１読取センサ６が原稿の搬送方向と直交するように調整可能となる。
【００２１】
第２読取センサ２００と原稿の搬送方向の角度調整は、前述した第１読取センサ６と原稿の搬送方向の角度調整が行われた後に行う必要があり、本実施形態ではＡＤＦ１００の内部における第２読取センサ２００の取り付け角度を調整することで行う。図５に示すように、画像読取装置５０の前面側には、第２読取センサ調整部材２０２が設けられている。第２読取センサ調整部材２０２は係合穴２０２ａが設けられており、係合穴２０２ａに対して第２読取センサ２００の突起部２００ａが挿入されることで、突起部２００ａと係合穴２０２ａが係合する。これにより、第２読取センサ２００は第２読取センサ調整部材２０２に対して位置固定されている。
【００２２】
また、画像読取装置５０の前面側において、第２読取センサ調整部材２０２は、ＡＤＦ１００本体に対して原稿の搬送方向であるＸ方向にスライド可能に配置されている。一方、画像読取装置５０の背面側において、第２読取センサ２００はＡＤＦ１００に対して位置固定されている。このように、第２読取センサ２００は画像読取装置５０の背面側においては位置固定され、前面側においてＸ方向にスライド可能な構成とすることで、ＡＤＦ１００に対して背面側を中心に回動可能となっている。作業者は、第２読取センサ調整部材２０２をＸ方向にスライドして回動させることで、所望の角度で図５に示すようにビス２０３を締結してＡＤＦ１００本体に対して固定することで第２読取センサ２００の位置調整が完了する。
【００２３】
上述したセンサの位置調整は、工場における画像読取装置５０の組み立て時や、サービスマンによるメンテナンスの際に実施される。図６に示すように、画像読取装置５０において第２読取センサ調整部材２０２は装置前面側に設けられ、読取信号を送信するためのコネクタ２０１は装置背面側に設けられている。さらに、第２読取センサ２００の信号を装置本体のメイン基板に中継する中継基板等も、画像読取装置５０の背面側に配されている。このように、第２読取センサ調整部材２０２は装置前面側に設けられ、コネクタ２０１等の電気部品は装置背面側に設けられている。これにより、作業者が位置調整を行う際に誤って電気部品と接触することが抑制され、静電気等による電子素子の破壊を防止することができる。
【００２４】
次に図７から図１２を用いて、画像読取装置５０のヒンジ機構１０１及びＡＤＦ１００の開き角度を調整するための構成を説明する。図７は、図２を簡略化した画像読取装置５０の外観斜視図を示す。尚、本明細書ではＡＤＦ１００を読取本体部１に対して開閉する構成について説明するが、読取本体部１に載置された原稿を押圧するための原稿カバーを読取本体部１に対して開閉する構成に対しても採用可能である。
【００２５】
図７に示すように、左側ヒンジ機構１０１Ｌの外側には左側第１ストッパ部１０７Ｌが設けられ、右側ヒンジ機構１０１Ｒの外側には右側第１ストッパ部１０７Ｒが設けられている。図２及び図７は、共に第１ストッパ部によって読取本体部１に対して第１角度１１０（図１１参照）の開き角度でＡＤＦ１００が開いた状態を示す。
【００２６】
図８は、図２で示すＡ−Ａ線における左側ヒンジ機構１０１Ｌの断面図である。以下では左側ヒンジ機構１０１Ｌについて説明するが、右側ヒンジ機構１０１Ｒの構成も同様である。図９は、図７で示すＡ−Ａ線における左側ヒンジ機構１０１Ｌを簡略化した断面模式図であり、ＡＤＦ１００が読取本体部１に対して閉じた状態を示す。図９（ａ）はＡ−Ａ線における画像読取装置５０全体の断面模式図を示し、図９（ｂ）及び（ｃ）はＡ−Ａ線における左側ヒンジ機構１０１Ｌの構成を説明する断面模式図を示す。
【００２７】
ヒンジ機構１０１は、上下移動可能なヒンジケース１０３と、ヒンジ軸１０２を介してヒンジケース１０３に対して回動可能に軸支されたヒンジカム１０４が設けられている。ヒンジカム１０４は、ＡＤＦ１００に対してビス固定されている。図９（ｂ）はヒンジケース１０３（ヒンジ機構１０１）が下位置（第１位置）に位置する状態を示し、具体的にはＡＤＦ１００が閉じている場合等に対応する。図９（ｃ）は、ユーザによってＡＤＦ１００が上に持ち上げられて、ヒンジケース１０３（ヒンジ機構１０１）が上位置（第２位置）に位置する状態を示す。
【００２８】
図９に示すように、ヒンジケース１０３の内部には、ヒンジバネ１１１とヒンジダンパ１１２が設けられている。ヒンジバネ１１１は弾性部材であり、ヒンジカムフォロワ１１４を介してヒンジカム１０４を上方へ付勢する。これにより、ユーザがＡＤＦ１００を開くときに必要な力を低減することができ、さらにＡＤＦ１００が自重によって急に閉じるのを抑制することができる。また、ヒンジダンパ１１２は、ＡＤＦ１００が読取本体部１に対して閉じた状態になる直前の回動を滑らかにする効果がある。尚、ヒンジケース１０３の内部にヒンジバネ１１１とヒンジダンパ１１２のうち、片方のみを設ける構成であってもよい。
【００２９】
ヒンジケース１０３は読取本体部１に設けられたヒンジスロット２に挿入されており、ユーザの操作によって、ヒンジ機構１０１はヒンジスロット２に沿って上下に移動可能である。原稿台ガラス４に厚手の原稿を載置して読み取る際は、ユーザがＡＤＦ１００を上方に持ち上げることで、図９（ｃ）のようにヒンジ機構１０１を上昇させることができる。このようにヒンジ機構１０１を上昇させることで、ＡＤＦ１００と読取本体部１の距離が大きくなり、厚手の原稿も原稿台ガラス４に対して均一に押圧することができる。このようなユーザによる上下移動の操作によってヒンジケース１０３がヒンジスロット２から抜けないように、読取本体部１にはヒンジ抜け防止ビス３が取り付けられている（図８参照）。
【００３０】
以上より、ＡＤＦ１００が閉じた状態や通常の原稿が原稿台ガラス４に載置された状態において、ヒンジ機構１０１は下位置にある。一方、ユーザによってヒンジ機構１０１が持ち上げられた状態や厚手の原稿が原稿台ガラス４に載置された状態において、ヒンジ機構１０１は上位置にある。
【００３１】
図１０は、図７で示すＢ−Ｂ線における画像読取装置５０全体の断面模式図を示し、ＡＤＦ１００が読取本体部１に対して閉じた状態を示す。第１ストッパ部１０７は、ＡＤＦ１００の下面１００Ｂより下方に突出した突起形状である。読取本体部１において第１ストッパ部１０７と対向する位置には、読取本体部１の上面から下方に窪んだ凹部１２０が設けられている。凹部１２０は湾曲面を有し、ユーザによってＡＤＦ１００が開閉される際に突出した第１ストッパ部１０７が回動可能なように形成されている。
【００３２】
凹部１２０の装置前面側には第１当接部１０８が設けられ、第１当接部１０８は読取本体部１の上面に対して交差する面（当接面）を有する。本実施形態においては、第１当接部１０８は読取本体部１の上面に対して直交する面を有する。第１当接部１０８は、ユーザによってＡＤＦ１００が開かれる際に、回動する第１ストッパ部１０７と当接可能に形成されている。
【００３３】
図１１は、ユーザによってＡＤＦ１００が第１角度１１０まで開かれた状態を示す。図１１（ａ）は図７で示すＡ−Ａ線におけるヒンジ機構１０１（左側ヒンジ機構１０１Ｌ）の断面模式図を示し、図１１（ｂ）は図７で示すＢ−Ｂ線における第１ストッパ部１０７（左側第１ストッパ部１０７Ｌ）の断面模式図を示す。
【００３４】
ユーザが把持部１１３を掴んでＡＤＦ１００を上方へ移動させることで、図１１（ａ）に示すように、ヒンジ機構１０１のヒンジカム１０４がヒンジ軸１０２を中心に回動する。このとき、ヒンジ機構１０１はヒンジスロット２に対する上下移動を行わないため、ヒンジ機構１０１は下位置の状態を維持する。ヒンジ機構１０１が下位置を維持したままＡＤＦ１００が回動すると、図１１（ｂ）に示すように第１ストッパ部１０７が第１当接部１０８と当接する。この当接により、ＡＤＦ１００のそれ以上の回動が規制されて、ＡＤＦ１００は読取本体部１の上面に対して第１角度１１０の開き角度で開いた状態で保持される。本実施形態において第１角度１１０は約６０度である。なお、第１ストッパ部１０７と第１当接部１０８の当接によってＡＤＦ１００の開き角度が第１角度１１０で規制されているときは、ヒンジ機構１０１においてはＡＤＦ１００の開き角度を規制していない（図１１（ａ）参照）。
【００３５】
ユーザが原稿を読み取らせる等、画像読取装置５０を通常使用する場合は、上述したようにＡＤＦ１００を約６０度まで開けば作業が可能である。しかし、作業者による組立やサービスマンによる装置のメンテナンスの際には、ＡＤＦ１００を６０度よりも大きい角度まで開ける必要がある。図１２は、このような作業時に、作業者やサービスマンによって第１角度１１０より大きい第２角度１０９までＡＤＦ１００が開かれる様子を示す。
【００３６】
図１２（ａ）は図７で示すＢ−Ｂ線における第１ストッパ部１０７（左側第１ストッパ部１０７Ｌ）の断面模式図を示し、図１１（ｂ）に示す状態からヒンジ機構１０１が上位置に持ち上げられた様子を示す。図１２（ｂ）は、図７で示すＡ−Ａ線におけるヒンジ機構１０１（左側ヒンジ機構１０１Ｌ）の断面模式図を示し、ＡＤＦ１００が第２角度１０９まで開いた状態を示す。
【００３７】
ＡＤＦ１００を第２角度１０９まで開く場合、ユーザは、図１１に示す第１角度１１０まで開いた状態から、ＡＤＦ１００をさらに上方へ持ち上げてヒンジ機構１０１を上位置に移動させる。ヒンジ機構１０１を上位置に移動させると、図１２（ａ）に示すように第１ストッパ部１０７と第１当接部１０８は離間される。第１ストッパ部１０７と第１当接部１０８の当接が解除されてＡＤＦ１００の回動が規制されないため、作業者はＡＤＦ１００をさらに回動させることが可能となる。
【００３８】
作業者によってＡＤＦ１００が第２角度１０９の開き角度になるまで回動されると、ヒンジ機構１０１において、ヒンジカム１０４に設けられた第２ストッパ部１０５と、ヒンジケース１０３に設けられた第２当接部１０６とが当接する（図１２（ｂ）参照）。この当接により、ＡＤＦ１００のそれ以上の回動が規制されて、ＡＤＦ１００は読取本体部１の上面に対して第２角度１０９で開いた状態で保持される。本実施形態において第２角度１０９は約９０度である。
【００３９】
尚、ＡＤＦ１００を第１角度１１０に開いた状態から第２角度１０９まで開く場合を説明したが、ＡＤＦ１００が閉じた状態から第１角度１１０における第１ストッパ部１０７による角度規制を経由せずに、第２角度１０９まで開くことも可能である。その場合は、図９（ｃ）に示すように、ＡＤＦ１００が閉じた状態でヒンジ機構１０１を上方へ持ち上げることで、第１ストッパ部１０７と第１当接部１０８を離間させることができて、直接第２角度１０９まで開くことが可能である。
【００４０】
このようにＡＤＦ１００の開き角度を変更可能な構成とすることで、以下に示す効果を得ることができる。まず、ユーザが通常使用する際は開き角度を６０度に規制することによって、ヒンジカム１０４に対してアクセス（接触）できないようになっている。ヒンジカム１０４には、カムの摺動をスムーズにするためにグリス等の油脂類が塗布されている。ＡＤＦ１００を６０度まで開いた状態ではヒンジカム１０４における油脂類が塗布された面が露出しないため、ユーザや原稿に油脂類が付着することが抑制される。一方、作業者が組立やメンテナンスなどの作業をする場合はＡＤＦ１００の開き角度を９０度に規制することで、視認性や作業性を向上させることができる。例えば、原稿台ガラス４を取り外して交換する際にも、ＡＤＦ１００を読取本体部１から取り外さずに作業が可能となる。
【００４１】
上述したように、第１ストッパ部１０７と第１当接部１０８による第１当接機構と、ヒンジ機構１０１に設けられた第２ストッパ部１０５と第２当接部１０６による第２当接機構を設けることで、ＡＤＦ１００の開き角度を容易に変更可能となる。また、本実施形態はＡＤＦ１００に限らず原稿カバーにも採用することができる。
【００４２】
尚、第１ストッパ部１０７と第１当接部１０８は、ヒンジ機構１０１の近傍であって、ヒンジ機構１０１より外側に設けることが望ましい。これにより、画像読取装置５０の剛性が向上し、ＡＤＦ１００の開き角度がＸ方向やＹ方向において偏ることを抑制することができる。
【００４３】
また、変更可能な開き角度をさらに増やす場合は、第１当接機構と第２当接機構の間の角度であって、別の当接機構を設けることで実現することができる。例えば、ヒンジ機構１０１が上位置と下位置の間の中位置に位置する際にＡＤＦ１００の一部と読取本体部１の一部が当接する機構を設けることも可能である。
【符号の説明】
【００４４】
１  読取本体部
５０  画像読取装置
１０１  ヒンジ機構
１０８  第１当接部
１０９  第２角度
１１０  第１角度
【図１】
2019153836.tif 000003
【図２】
2019153836.tif 000004
【図３】
2019153836.tif 000005
【図４】
2019153836.tif 000006
【図５】
2019153836.tif 000007
【図６】
2019153836.tif 000008
【図７】
2019153836.tif 000009
【図８】
2019153836.tif 000010
【図９】
2019153836.tif 000011
【図１０】
2019153836.tif 000012
【図１１】
2019153836.tif 000013
【図１２】
2019153836.tif 000014